(57)【要約】      （修正有）【課題】枠部材に対する保護板の保持構造が簡単となり、点検による保護板の押し込みで押釦スイッチの操作を繰り返しても保持力は変化せずに安定している発信機を提供する。【解決手段】発信機２６は、通報装置扉２４の取付穴３４の背後に配置した押釦スイッチを、取付穴３４に組付けられた枠部材３０に保持された保護板３２の押し込みで操作する。枠部材３０に対し保護板３２は磁気吸着構造により保持されており、所定範囲の押し込み力で保護板３２が外れて押釦スイッチ６０を操作するように磁気吸着の強さが設定される。磁気吸着構造は、枠部材３０と保護板３２の相対面の一方にマグネットリングを設け、他方にマグネットキャッチを設ける。【選択図】図２
2020194259.tif 000002
【特許請求の範囲】
【請求項１】
装置本体の取付面に開口した取付穴の背後に配置した操作部を、前記取付穴を開口する枠部に保持された保護板の押し込みで操作する発信機に於いて、
前記枠部から前記保護板が所定範囲の押し込み力で外れるように磁気吸着により保持する磁気吸着構造を設けたことを特徴とする発信機。
【請求項２】
請求項１記載の発信機に於いて、前記磁気吸着構造は、前記枠部と前記保護板の少なくとも何れか一方をマグネット樹脂で形成したことを特徴とする発信機。
【請求項３】
請求項１又は２記載の発信機に於いて、
前記枠部の裏面から押し込み方向に複数のガイドシャフトを延在し、
前記シャフトに前記保護板に形成したガイド穴を嵌め入れ、前記保護板を前記ガイドシャフトに沿って移動自在に保持したことを特徴とする発信機。
【請求項４】
請求項３記載の発信機に於いて、前記保護板と前記押釦スイッチとの間に、前記保護板を前記枠部に磁気吸着する位置に押し戻すスプリングを配置したことを特徴とする発信機。
【請求項５】
請求項１乃至４の何れかに記載の発信機に於いて、前記保護板の中央部に、前記保護板を磁気吸着により保持して前記枠部に再装着する復旧治具に磁気吸着する復旧磁気吸着部を設けたことを特徴とする発信機。
【発明の詳細な説明】
【技術分野】
【０００１】
本発明は、押釦スイッチの操作により火災信号を送信する発信機に関する。
【背景技術】
【０００２】
従来、発信機が取り付けられる例えば高速道路のトンネルに設置される消火栓装置は、開放自在な消火栓扉を備えた筐体内に、ノズル付きホースとバルブ類を収納し、また、開閉自在な消火器扉を備えた消火器収納部に例えば２本の消火器を収納し、更に、通報装置扉が設けられ、ここに赤色表示灯、発信機、及び応答ランプを設けている。
【０００３】
通報装置扉の赤色表示灯は常時点灯し、消火栓装置の設置場所が遠方から分かるようにしている。火災時には、発信機を押して押し釦スイッチをオン操作すると、火災信号が監視室の防災盤に送信されて火災警報が出され、これに伴い応答信号が防災盤から送られて、応答ランプを点灯するようにしている。
【０００４】
消火栓装置に設けられた発信機は、火災を通報する押し釦式通報装置として機能し、発信機が火災を通報するための機能を正常に備えているかは、定期的な点検によって確かめる必要があり、実際には押し釦を押してスイッチをオンすることで防災盤等に通報すること、及び通報を受信した防災盤では、火災の表示、火災区画の表示に加え、例えばトンネル内では情報板に火災表示や進入禁止等の表示を行う制御信号の送信を行うこと等を点検している。
【０００５】
また、発信機には誤って押さないこと、またいたずらを防止するため、樹脂製の保護板が取り付けることが義務づけられている。また保護板は、押したときに割れてしまう再利用不能なタイプと、押したときに外れ、再度装着できる脱着可能なタイプ（以下「再利用可能タイプ」という）の２種類が存在する。
【先行技術文献】
【特許文献】
【０００６】
【特許文献１】特開２０１１−０６０５８０号公報
【特許文献２】特開２０１６−０１８２１９号公報
【発明の概要】
【発明が解決しようとする課題】
【０００７】
ところで、再利用可能タイプの発信機にあっては、通報装置の取付面に開口した取付穴に枠部材が組付けられ、枠部材は裏面に形成したリング状の嵌合突起に保護板を嵌め入れて機械的に保持しており、２０Ｎ（ニュートン）の力で保護板を押したときは作動せず、２０Ｎを超え８０N以下で保護板を押したときに作動することが規格上要求され、この規格を満たす強さとなるように機械的に保持されている。
【０００８】
しかしながら、このような枠部材に対する保護板の保持構造にあっては、点検により枠部材から保護板を押し外す操作を繰り返していると、保護板を保持している枠部材の嵌合突起に荷重が加わることで変形摩耗して操作力が小さくなり、また、保護板の押し込みにより破損する場合もある。
【０００９】
また、点検時に保護板を押し込んで押釦スイッチを操作したときには、枠部材を外して保護板を取り付け、取付穴に再装着しなければならず、発信機の点検に手間と時間がかかる問題もある。
【００１０】
本発明は、枠部材に対する保護板の保持構造が簡単となり、点検による保護板の押し込みで押釦スイッチの操作を繰り返しても保持力は変化せずに安定している発信機を提供することを目的とする。
【課題を解決するための手段】
【００１１】
（発信機）
本発明は、装置本体の取付面に開口した取付穴の背後に配置した操作部を、取付穴を開口する枠部に保持された保護板の押し込みで操作する発信機に於いて、
枠部材から保護板が所定範囲の操作力で外れるように磁気吸着により保持する磁気吸着構造を設けたことを特徴とする。
【００１２】
（マグネット樹脂）
磁気吸着構造は、枠部と保護板の少なくとも何れか一方をマグネット樹脂で形成する。
【００１３】
（保護板のガイドシャフト）
枠部の裏面から押し込み方向に複数のガイドシャフトを延在し、
シャフトに保護板に形成したガイド穴を嵌め入れ、保護板をガイドシャフトに沿って移動自在に保持する。
【００１４】
（保護板の復旧スプリング）
保護板と押釦スイッチとの間に、保護板を枠部に磁気吸着する位置に押し戻すリターンスプリングを配置する。
【００１５】
（保護板中央の復旧磁気吸着部）
保護板の中央部に、保護板を磁気吸着により保持して枠部に再装着する復旧治具に磁気吸着する復旧磁気吸着部を設ける。
【発明の効果】
【００１６】
（基本的な効果）
本発明は、装置本体の取付面に開口した取付穴の背後に配置した操作部を、取付穴を開口する枠部に保持された保護板の押し込みで操作する発信機に於いて、枠部から保護板が所定範囲の操作力で外れるように磁気吸着により保持する磁気吸着構造を設けたため、点検により枠部から保護板を押し外す操作を繰り返していても操作力は変化せず、２０Ｎ（ニュートン）の力で保護板を押したときは作動せず、２０Ｎを超え８０Ｎ以下で保護板を押したときに作動するという操作力の規格を安定して維持することができる。
【００１７】
また、点検時に保護板を押し込んで押釦スイッチを操作したときには、押し外した保護板を所望の方法で保持して枠部材に近づければ磁気吸着により再装着でき、枠部材の取外しが不要となることで、保護板の再装着が簡単となり、発信機の点検を効率良く進めることができる。
【００１８】
（マグネット樹脂の効果）
また、磁気吸着構造は、枠部と保護板の少なくとも何れか一方をマグネット樹脂で形成したため、マグネット樹脂は合成樹脂にフェライト粉末を練り込んで均一に枠部又は保護板として成形したものであり、例えば保護板をマグネット樹脂で形成した場合、枠部を含めた装置全体を金属により形成しても枠部と保護板は磁気吸着が可能であるとともに、マグネット樹脂は透過性を持つことから保護板全体をマグネット樹脂で形成できるため、現在の透明な保護板と意匠性を大きく変化させることがない。また、枠部と保護板の何れか一方をマグネット樹脂で形成することで均一な磁力を得ることができ、操作力を安定して維持することができる。
【００１９】
（保護板のガイドシャフトの効果）
また、枠部の裏面から押し込み方向に複数のガイドシャフトを延在し、シャフトに保護板に形成したガイド穴を嵌め入れ、保護板をガイドシャフトに沿って移動自在に保持するようにしたため、指により保護板を押す力の方向が若干変わっても、保護板が傾くことなく組付け時の姿勢を保ったまま枠部から外すことができ、確実に押し釦スイッチを操作できる。また、保護板を枠部に再装着させるときにも、保護板は組付け時の姿勢を保ったまま枠部に近づけると、磁気吸着による再装着で容易に復旧することができる。
【００２０】
（保護板の復旧スプリングの効果）
また、保護板と押釦スイッチとの間に、保護板を枠部に磁気吸着する位置に押し戻すスプリングを配置するようにしたため、指により保護板を押し込んで押し釦スイッチを作動させ、指を離すとスプリングにより組付け時の姿勢を保ったまま保護板が枠部側に押し戻され、枠部に磁気吸着されることで自動的に元に戻り、発信機の点検を効率良く進めることができる。
【００２１】
（保護板中央の復旧磁気吸着部の効果）
また、保護板の中央部に、保護板を磁気吸着により保持して枠部に再装着する復旧治具に磁気吸着する復旧磁気吸着部を設けるようにしたため、押し込み操作で枠部から外れた保護板を再装着するときに、復旧治具を入れて保護板中央部の復旧磁気吸着部に磁気吸着して保護板を保持し、この状態で復旧治具により保護板を枠部に近づけると、枠部との磁気吸着により簡単に保護板を再装着して復旧させることができる。
【００２２】
この場合、復旧治具と保護板中央部の復旧磁気吸着部との磁気吸着の強さは、保護板が脱落しない程度の弱い磁気吸着力で良く、このため復旧治具に保持した保護板を枠部にある程度近づけると、例えば枠部のマグネットリングと保護板のマグネットキャッチとの間の強い磁力により、保護板は復旧治具から離れて枠部に磁気吸着することができる。
【００２３】
なお、保護板をマグネット樹脂で形成している場合、保護板の中央部に復旧磁気吸着部を設ける必要はない。
【図面の簡単な説明】
【００２４】
【図１】本発明が適用されるトンネル消火栓装置を示した説明図
【図２】図１の発信機の部分を取り出して発信機操作構造を示した説明図
【図３】図２の枠部材を取り出して示した説明図
【図４】枠部材を裏面から見て示した斜視図
【図５】図２の保護板を取り出して示した説明図
【図６】分割マグネットリングを設けた枠部材を示した説明図
【図７】マグネット樹脂で形成した枠部材と保護板の磁気吸着構造を示した説明図
【図８】保護板を案内するガイドシャフトを備えた発信機操作構造を示した説明図
【図９】保護板を案内するガイドシャフトと復帰用のスプリングを備えた発信機操作構造を示した説明図
【図１０】復旧治具を用いて保護板を再装着する発信機操作構造を示した説明図
【発明を実施するための形態】
【００２５】
［本実施形態の基本的な概念］
図１は本発明が適用される発信機を取り付けたトンネル消火栓装置を示した説明図、図２は図１の発信機の部分を取り出して発信機操作構造を示した説明図である。
【００２６】
本発明による発信機の実施形態の基本的な概念は、例えば、トンネル内に設置される消火栓装置１０に設けられた発信機２６は、装置本体となる通報装置扉２４の取付面となる前面に開口した取付穴３４の背後に配置した操作部として機能する押し釦スイッチ６０を、取付穴３４に組付けられた枠部を構成する枠部材３０に保持された透明な保護板３２の押し込みでオン操作する操作構造を備え、枠部材３０から保護板３２が所定範囲内の操作力で外れるように磁気吸着により保持する磁気吸着構造を設け、磁気吸着構造は例えば枠部材３０と保護板３２の相対面の何れか一方にマグネットリングを設け、他方にマグネットキャッチを設けたというものであり、保護板３２は枠部材３０に磁気吸着により保持しているため、点検により枠部材３０から保護板３２を押し外す操作を繰り返していても操作力は変化せず、２０Ｎの力で保護板を押したときは作動せず、２０Ｎを超え８０Ｎ以下で保護板を押したときに作動するという規格上の操作力を安定して維持することができる。
【００２７】
また、点検時に保護板３２を押し込んで押釦スイッチ６０を操作したときには、押し外した保護板３２を所望の方法で保持して枠部材３０に近づければ磁気吸着により再装着でき、枠部材３０の取外しが不要となることで、保護板３２の再装着が簡単となり、発信機２６の点検を効率良く進めることができる。以下詳細に説明する。
【００２８】
［消火栓装置の発信機］
図１に示すように、例えばトンネルに設置される消火栓装置１０は、前面に化粧板１４を装着しており、筐体１２に対し必要な機器及び部材を組付けた後にトンネル現場に搬入して架台１１上に設置している。
【００２９】
化粧板１４の右側下部には消火栓扉１６が配置され、上部には保守扉１８が配置され、その内部がホース収納空間及びバルブ類収納空間となっている。消火栓扉１６は、ハンドルを手前に引いてロックを外すことで下側の軸を中心に前方に開閉することができる。保守扉１８は、上側の軸を中心に上向きに開閉自在であり、点検時等に消火栓扉１６を開いて上方に持ち上げることで開くことができる。
【００３０】
化粧板１４の左側には消火器扉２０が設けられ、消火器扉２０に対応した筐体１２の内部に例えば２本の消火器を収納している。消火器扉２０はハンドルを手前に引くとラッチが外れ、左側を軸として前方に開くことができる。また、消火器扉２０の下側には覗き窓２２が設けられ、外部から消火器の収納状態の有無を確認できるようにしている。
【００３１】
消火栓扉１６と消火器扉２０の間には通報装置扉２４が設けられ、ここに赤色表示灯２５、発信機２６、及び応答ランプ２８を設けている。発信機２６は後の説明で明らかにする本発明による発信機操作構造を備える。
【００３２】
赤色表示灯２５は常時点灯し、消火栓装置１０の設置場所が遠方から分かるようにしている。火災時には、発信機２６の保護板を押して押釦スイッチをオンすると、火災信号が監視室の防災盤に送信されて火災警報が出され、これに伴い応答信号が防災盤から送られて、応答ランプ２８を点灯する。
【００３３】
また、消火栓装置１０の点検時には、例えば、発信機２６の保護板を保持したまま枠部材を取外し治具により通報装置扉２４から取外し、内蔵している押釦スイッチをオンし、これに伴い応答信号が防災盤から送られて、応答ランプ２８を点灯することで正常に動作することを確認する発信機２６の点検を行う。
【００３４】
［発信機］
図２は図１の発信機の部分を取り出して発信機操作構造を示した説明図であり、図２（Ａ）に正面を示し、図２（Ｂ）に縦断面を示す。また、図３は図２の枠部材を取り出して示した説明図であり、図３（Ａ）に正面を示し、図３（Ｂ）に側面を示し、図３（Ｃ）に裏側図を示す。図４は枠部材を裏面から見て示した斜視図、更に、図５は図２の保護板を取り出して示した説明図であり、図５（Ａ）に正面を示し、図５（Ｂ）に側面を示す。
【００３５】
（発信機の操作構造）
図２に示すように、装置本体として機能する通報装置扉２４の取付穴３４には、発信機２６が取り付けられている。発信機２６の操作構造は枠部材３０と透明な円板を用いた保護板３２で構成され、本実施形態にあっては、枠部材３０に保護板３２を磁気吸着構造により保持しており、２０Ｎの力で保護板３２を押したときは作動せず、２０Ｎを超え８０Ｎ以下で保護板３２を押したときに作動するという規格を満たす所定の操作力が得られるように磁気吸着により保持している。
【００３６】
枠部材３０に磁気吸着により保持された保護板３２の表面には「強く押す」の文字が刻設され、保護板３２の背後には押釦スイッチ６０が配置される。押釦スイッチ６０は前方にスイッチカバー６３で覆われたスイッチノブ６２が設けられ、またスイッチ本体には防水カバー６４が設けられ、防水カバー６４を通して信号線６６が引き出されている。
【００３７】
発信機２６を操作する場合には、保護板３２を指先で強く押すと、枠部材３０から保護板３２が外れて押し込まれ、取付穴３４の内部に配置している押釦スイッチ６０のスイッチノブ６２を押し込んでオンし、火災信号が受信機に送信される。
【００３８】
押釦スイッチ６０にはロックタイプとノンロックタイプがあり、どちらを使用しても良い。ロックタイプの押釦スイッチ６０はスイッチノブ６２を押すとスイッチがオンしてロックされ、もう一度スイッチノブ６２を押すとロックが解除されてオフとなる。
【００３９】
ノンロックタイプの押釦スイッチ６０は、スイッチ接点としてａ接点（スイッチ操作でオンする接点）とｂ接点（スイッチ操作でオフする接点）を備え、通常はａ接点がオフ、ｂ接点がオンしており、スイッチノブ６２を押し込むとａ接点がオンし、ｂ接点がオフし、スイッチノブ６２を離すとａ接点がオフ、ｂ接点がオンに戻る。
【００４０】
（枠部材）
図３及び図４に示すように、枠部材３０は、中央に操作穴３６を形成したリング状の部材であり、枠部材３０の裏面の上下左右の４箇所には取付アーム部３８が延在され、図２（Ｂ）に示すように、取付アーム部３８が取付穴３４に嵌合して発信機２６を通報装置扉２４に固定している。
【００４１】
また、枠部材３０の裏面の取付けアーム部３８の間となる４箇所には保護板ガイド部４０が起立され、枠部材３０に磁気吸着して保持する保護板３２を案内して吸着位置を決めている。
【００４２】
枠部材３０の裏面には図３（Ｃ）に示すようにマグネットリング４２が設けられている。マグネットリング４２はフェライト磁石、ネオジウム磁石等の任意の磁石とする。また、吸着力を強めるために鉄製のヨークリングを外側に配置するように積層して枠部材３０の裏面に設けても良い。
【００４３】
また、枠部材３０に形成した操作穴３６の内周上側には保護板３２の位置決めに使用するマーカ４５ａが表示されている。
【００４４】
（保護板）
図５に示すように、保護板３２は透明な合成樹脂で作られた円板部材であり、円板部材の表側の面に、ヨークリングとして機能するリング状のマグネットキャッチ４４を設けている。マグネットキャッチ４４は鉄製であり、図３に示した枠部材３０の裏面に設けたマグネットリング４２と同じ形状のサイズとなる。また、マグネットキャッチ４４には錆を防止するために樹脂被覆が施されている。また、保護板３２の外周側に枠部材３０に磁気吸着による保持する位置を決めるマーカ４５ｂが表示されている。
【００４５】
図５に示すマグネットキャッチ４４を設けた保護板３２を、図３及び図４に示した枠部材３０の裏面に保護板ガイド部４０に入るように組み込むことで、枠部材３０のマグネットリング４２の磁力により保護板３２のマグネットキャッチ４４が吸着保持される。
【００４６】
マグネットリング４２とマグネットキャッチ４４による枠部材３０に対する保護板３２の磁気吸着力は、２０Ｎの力で保護板３２を押したときは作動せず、２０Ｎを超え８０Ｎ以下で保護板３２を押したときに作動するという規格を満たす所定の操作力が得られるように、マグネットリング４２の磁気吸着面積と厚さを調整して所定の磁力を得るようにしている。
【００４７】
（発信機の点検作業）
発信機２６の点検を行う場合には、図２に示した発信機２６に設けた枠部材３０の操作穴３６に位置している保護板３２を指で押すと、枠部材３０に磁気吸着により保持している保護板３２が外れ、スイッチカバー６３を介してスイッチノブ６２が押し込まれることでスイッチオンして火災信号が受信機に送信され、受信機側が正常に動作すると、図１に示した応答ランプ２８が点灯し、正常に動作したことが確認できる。
【００４８】
このように点検作業が終了したならば、押し外した保護板３２を所定の方法、例えばドライバーの先端に吸盤を付けたような治具により吸着保持する等して枠部材３０に近づければ磁気吸着により再装着でき、枠部材３０を取り外すことなく保護板３２の再装着が簡単にできる。
【００４９】
なお、本実施形態は図３乃至図５に示したように、枠部材３０にマグネットリング４２を設け、保護板３２にマグネットキャッチ４４を設けて磁気吸着により枠部材３０の裏側に保護板３２を保持しているが、逆に、枠部材３０にマグネットキャッチ４４を設け、保護板３２にマグネットリング４２を設けて磁気吸着により枠部材３０の裏側に保護板３２を保持しても良い。
【００５０】
［マグネットリングの分割］
図６は分割マグネットリングを設けた枠部材を示した説明図である。図６に示すように、発信機２６の他の実施形態として、発信機２６の枠部材３０の裏面には分割マグネットリング４２ａを配置するようにしても良い。本実施形態では、枠部材３０の裏面に８箇所に分けて分割マグネットリング４２ａをリング状に配置している。
【００５１】
このように分割マグネットリング４２ａを枠部材３０の裏面に配置することで、２０Ｎの力で保護板を押したときは作動せず、２０Ｎを超え８０Ｎ以下で保護板を押したときに作動するという規格を満足する磁気吸着による操作力の設定を、分割マグネットリング４２ａの分割数を調整することを含めて、適切に行うことが可能となる。
【００５２】
なお、分割マグネットリング４２ａにより磁気吸着する保護板３２には、図５に示したように、リング状のマグネットキャッチ４４を設けても良いし、図６の分割マグネットリング４２ａに相対する分割マグネットキャッチとしても良い。また、分割マグネットリング４２ａの形状は図示の矩形円弧に限定されず、円形、楕円形等、任意である。
【００５３】
［マグネット樹脂を用いた磁気吸着構造］
図７はマグネット樹脂で形成した枠部材と保護板の磁気吸着構造を示した説明図であり、図７（Ａ）に枠部材を背面で示し、図７（Ｂ）に保護板を正面で示し、図７（Ｃ）に磁気吸着構造を示す。
【００５４】
図７に示すマグネット樹脂枠部材３０ａとマグネット樹脂保護板３２ａは、例えばフェライト磁石粉末を均一に練り込んだマグネット樹脂により成形したものであり、マグネット樹脂枠部材３０ａ及びマグネット樹脂保護板３２ａ自体が磁石として機能する。
【００５５】
マグネット樹脂枠部材３０ａとマグネット樹脂保護板３２ａの磁気吸着構造は、図７（Ｃ）に示すように、枠部材３０ａと保護板３２ａが異なる磁極面で相対するように配置する。
【００５６】
このようにマグネット樹脂枠部材３０ａとマグネット樹脂保護板３２ａを用いることで、防錆対策を必要とするマグネットキャッチが不要となり、磁気吸着構造をよりシンプルなものとすることができ、操作力を安定して維持することができる。
【００５７】
なお、マグネット樹脂を用いた磁気吸着構造の他の実施形態として、枠部材と保護板の何れか一方をマグネット樹脂で形成し、他方にマグネットキャッチを設けるようにしても良い。
【００５８】
［保護板の案内構造］
図８は保護板を案内するガイドシャフトを備えた発信機の操作構造を示した説明図である。
【００５９】
図８に示すように、磁気吸着により保護板３２を保持する枠部材３０の裏面には奥行方向（図示右方向）に向けて複数のガイドシャフト４６、例えば４本（３本でも良い）のガイドシャフト４６を中心軸線ａ−ａ’と平行に延在し、ガイドシャフト４６に保護板３２の外周側に形成したガイド孔５２を嵌め入れている。
【００６０】
このため、点検時に担当者が保護板３２を指で押すときの力の方向が中心軸線ａ−ａ’の方向に対し若干変わっても、保護板３２が傾くことなく組付け時の姿勢を保ったまま枠部材３０から外れて押釦スイッチ６０を確実に操作することができる。
【００６１】
また、枠部材３０から押し外した保護板３２を枠部材３０に再装着するときにも、ガイドシャフト４６に沿って保護板３２を組付け時の姿勢を保ったまま枠部材３０側に戻すことかでき、ある程度近づくと、磁気吸着により引き付けられ、容易に再装着が行われて発信機２６を復旧することができる。
【００６２】
［保護板の自動復旧］
図９は保護板を案内するガイドシャフトと復帰用のスプリングを備えた発信機操作構造を示した説明図である。
【００６３】
図９に示すように、本実施形態は、図８の実施形態で枠部材３０の裏面から延在したガイドシャフト４６に加え、ガイドシャフト４６に移動自在に嵌め込まれた保護板３２と押釦スイッチ６０側との間に例えばスペーサ５０を介してスプリング４８を設け、スプリング４８により保護板３２を枠部材３０側（再装着位置）に付勢している。
【００６４】
ここで、保護板３２から指を離すと、保護板３２はフリーになることから、スプリング４８で保護板３２を押す力は小さくて良い。なお、スペーサ５０はスプリング４８を短くするために設けているが、スペーサ５０を設けず、保護板３２と押釦スイッチ６０側との間に直接にスプリング４８を配置しても良い。
【００６５】
［復旧冶具を用いた保護板の復旧）
図１０は復旧治具を用いて保護板を再装着する発信機操作構造を示した説明図であり、図１０（Ａ）に保護を正面で示し、図１０（Ｂ）に保護板を側面で示し、図１０（Ｃ）に発信機操作構造を示す。
【００６６】
図１０（Ａ）（Ｂ）に示すように、保護板３２の前面外周にはリング状にマグネットキャッチ４４を設け、これに加え保護板３２の中央部に復旧磁気吸着部５４を設けている。
【００６７】
発信機１０の操作で押し外された保護板３２の再装着による復旧は図１０（Ｃ）に示すように、復旧治具５６を使用して行う。復旧治具５６は取手５８からのシャフトの先端にマグネット５５を設けており、図示のように、枠部材３０から押し外されて内部に残っている保護板３２に対し、復旧治具５６の先端に設けたマグネット５５を保護板３２の中央部の復旧磁気吸着部５４に吸着して保持し、そのまま復旧治具５６を手前に移動し、ある程度枠部材３２に近づくと、磁気力により引き付けられて吸着し、容易に再装着が行われて発信機２６を復旧することができる。
【００６８】
なお、復旧治具５６のマグネット５５により保護板３２の復旧磁気吸着部５４を磁気吸着する強さは、フリー状態にある保護板３２を手前に移動できる程度の小さい強さで良い。
【００６９】
また、図７に示したマグネット樹脂保護板３２ａについては、それ自身が磁石となることから、図１０（Ａ）（Ｂ）のように、保護板３２の中央部に復旧磁気吸着部５４を設ける必要はなく、復旧治具５６を用いてマグネット樹脂保護板３２ａを枠部材３０に再装着することができる。
【００７０】
［本発明の変形例］
枠部材を装置本体と分離可能な構造としなくても良い。例えば、開口部を枠部として金属により形成し、保護板を磁性体とすることで保護板と枠部を磁気力により吸着するようにしても良い。また、枠部裏側に磁性体を設け、保護板にマグネットキャッチを配置して磁気力により吸着するようにしても良い。
【００７１】
上記の実施形態は、トンネルに設置される消火栓装置に設けた発信機を例にとるものであったが、これに限定されず、保護板を保持した枠部材を装置本体の取付穴に設けた操作構造の発信機であれば、適宜の装置や機器に設けた発信機に適用することができる。
【００７２】
また本発明はその目的と利点を損なうことのない適宜の変形を含む。また本発明は上記の実施形態に示した数値による限定は受けない。
【符号の説明】
【００７３】
１０：消火栓装置
２４：通報装置扉
２６：発信機
２８：応答ランプ
３０：枠部材
３０ａ：マグネット樹脂枠部材
３２：保護板
３２ａ：マグネット樹脂保護板
３４：取付穴
３６：操作穴
３８：取付アーム部
４０：保護板ガイド部
４２：マグネットリング
４２ａ：分割マグネットリング
４４：マグネットキャッチ
４５ａ，４５ｂ：マーカ
４６：ガイドシャフト
４８：スプリング
５０：スペーサ
５２：ガイト孔
５４：復旧磁気吸着部
５５：マグネット
５６：復旧治具
５８：取手
６０：押釦スイッチ
６２：スイッチノブ
６３：スイッチカバー
６４：防水カバー
【図１】
2020194259.tif 000003
【図２】
2020194259.tif 000004
【図３】
2020194259.tif 000005
【図４】
2020194259.tif 000006
【図５】
2020194259.tif 000007
【図６】
2020194259.tif 000008
【図７】
2020194259.tif 000009
【図８】
2020194259.tif 000010
【図９】
2020194259.tif 000011
【図１０】
2020194259.tif 000012